(57)【要約】      （修正有）【課題】メガネの箱蝶用パット支持体は合金または硬質プラスチックが主流でパット面が表面に当たる角度がぴたりと合いにくい、パットの動きが硬く柔軟でなく、鼻面に当たる触感が硬い、ソフトでない、さらに、メガネを取り扱い中に、何らかの力でパット面が鼻の表面に当たる角度が変り、正確に合っていないメガネを掛けているなどの問題がある。【解決手段】メガネのパット３のパット支持体１に柔軟性・弾力性あるゴム・ゴム製品を使用、前記パット支持体１の弱点を紙などの植物繊維・羊毛など植物繊維などを埋没・混合し補強することで、他の部品との連結を強固にし、ゴム・シリコーン樹脂ゴム製メガネパット部品の質を高めた。【選択図】図３
2010048912.tif 000002
【特許請求の範囲】
【請求項１】
メガネの箱蝶４用パットのものであり、箱蝶４の凹部分にネジで結合する凸部のパット支持体１に、天然ゴム・合成ゴムなどの、ゴム製の弾性を利用して弾性あるものに設けたもので、前記の弾性が連結したパットに伝わるように設けたことを特徴とし、また前記パット支持体のゴム製の弱点を補強材により補強して設けたもので、またネジ穴のあるもの、ないものもある。
【請求項２】
請求項１記載のパットの箱蝶との結合部分であるネジ穴部２周辺部分を、平面をそなえた接着結合台３６に、置き換えて設けたものであり、パットの中央に弾性柱を１本、と、それに結合した結合台３６を設けたもので、またパット支持体３７または接着結合４０に補強材を埋没したもの、またはないものもある、
【請求項３】
合成ゴム・天然ゴムのパット支持体１２・１５に、補強材を埋没して設け、また前記パット支持体とプラスチックパットとの結合も可能である。
【請求項４】
プラスチックメガネ枠とプラスチックパットとの中間部分に、ゴム製・天然ゴム・合成ゴムの弾性層を設け、前記弾性層の弾性が、パットの弾性になるように設けたパット支持体であり、前記のプラスチックメガネ枠・弾性層・パットの連結を強くするために媒介材、または補強するための補強材を設けて連結たもので、またプラスチッツクメガネ枠とパットと弾性層の一部分部分に金属材を埋没、また弾性層２７とパットとの結合部２９に、凹凸形の丁番型の結合部３３を設け、パット２６をネジにより脱着自在に設けた。    
【発明の詳細な説明】
【技術分野】
【０００１】
メガネパット
【背景技術】
【０００２】
メガネのメガネパットは箱蝶用パットが主流であり、パットの交換ができるので多く使われていて、シリコーンゴムパットと硬質プラスチックパット両方使われている、前記パットのパット支持体１には合金または硬質プラスチックが使われパットの動きがぎこちなく硬く、鼻面に接触する角度または接触感が硬い。
【０００３】
パットのパット支持体にゴム、シリコーンゴム製の物も使われているが、前記のものは弱点の一つに薄くなった細いところは摩擦などで亀裂などの破損になりやすい欠点があり、ゴム製パット支持体の使用は多くはない。
【０００４】
プラスチックメガネ枠用ゴムのパットは差込用の脱着式のものである。
【特許文献１】実用文献昭６２−８４０１８
【特許文献２】昭―１８４９１２
【特許文献３】平０２―００１７２５
【発明の開示】
【発明が解決しようとする課題】
【０００５】
メガネのメガネパットは箱蝶用のパットが主流であり、パット支持体には合金または硬質プラスチックパット支持体が支流でパットの動きは小幅で、ぎこちなく硬く鼻面に接触する接触感が硬くソフトでないことを課題とする。
【０００６】
またパット支持体にゴム性の物もあるがゴム製の弱点の一つに薄い部分また細いところは摩擦などで亀裂などの破損になりやすい弱点があり、使用しにくい事を課題とする。
【０００７】
さらにメガネ箱蝶用のパット支持体に合金または硬質プラスチック製のものは、使用中に何らかの力でパット面が鼻の表面に当たる角度変わり、鼻面に合っていない状態でメガネを掛けている人をよく見ることを課題とする。
【課題を解決するための手段】
【０００８】
請求項１記載のものは、図１のメガネの箱蝶４用パット支持体１を、ゴム製で設けることは、ゴム製の摩擦または引っ張りなどで亀裂する弱点を、補強材で補強・または他の柔軟材・化学繊維などとゴム材を組み合わせることで、ゴム材を補強し弾性が得られ、また前記の補強材にゴム材との結合性の良い、綿糸・紙などの植物繊維・羊毛・絹などの動物繊維を埋没し、ネジ穴が設けられ・、接着剤を補強材６・７に接着補強硬化することで結合部分を強し、図３のプラスチックパット３の結合部分を強固なものにした。
【０００９】
請求項２のものは、図１０において説明すると、請求項１記載のパットのネジ穴部部分に、代わりに、接着結合台３６を設け、接着結合台３６の端部部分の平面部分に接着剤または、両面接着テープなどを使用し、前記パットをプラスチックメガネ枠のパットの表面に貼り接着結合することで、プラスチックメガネ枠に弾性あるパットを結合でき、接着結合台３６に補強剤４４として紙類の植物繊維または動物繊維を埋没しパット支持体が丈夫にしたもので、パットの中央にゴム製の弾性ある柱を一本設けることで・パットに角度の柔軟性と弾性が設けられ、また柱３７に接着台３６を設け、この形態は補強材により、丈夫にしたことにより、良いものになった。
【００１０】
請求項３のものは、図４において説明すると、補強材１２は圧力でつぶして結合する、足部との結合部分を、補強材を埋没して硬化することで、結合を強固にし、また補強材９を柔軟な補強材を埋没して設けることでパット１１を柔軟な動きのある丈夫なものになり、図５のものはパット支持体１５に補強材１７を埋没することによりパット支持体を丈夫にし足１９との結合部分に起きやすい、摩擦による亀裂を防ぐことができ、補強材１４を硬化することで、硬質プラスチックパットとの結合を強固にした、補強材に綿・綿糸・紙・絹の植物繊維または動物繊維・接着剤など。
【００１１】
請求項４のものは、プラスチックメガネ枠のパットの部分においてのもので、図９で説明すると、プラスチックメガネ枠３３とパット３０との間に天然ゴム又合成ゴムの弾性層３１を設け、前記のものを連結しやすくするために、硬質プラスチック媒介材３５と弾性層３１両方に結合性の良い補強媒介材３２を埋没して連結し、プラスチックメガネ枠３３とプラスチック媒介材３５を接着剤で結合した、補強媒介材３２に綿糸、紙の植物繊維・羊毛などの動物繊維を埋没することで連結を強固にした、また弾性層３１に金属材３４を紙繊維に巻き埋没することで、パットとの結合を強くし、金属材３４はペンチなどで曲げるように直径１センチ前後に設けることで、弾性層３１上から金属材３４を曲げることで、パット３０の表面の角度を固定でき、鼻面にあわせ合わせるように調節でき、パット３０を弾性層の弾性をもったパット３０にし、また媒介材は弾性層両端に設けたもの、または金属材の設けてないものもある、  図８のものは、図９の変形であり、結合部２９部分に凹凸結合形の丁番型のネジにより結合する結合部２９を設け、パット２６の交換もできるように設けた、
【発明の効果】
【００１２】
請求項１のものは、ゴム製パット支持体のネジ穴周辺を綿糸などの補強材を埋没して補強することで、ネジ穴を設けることが可能になり、弾性パット支持体を箱蝶に取り付け可能にし、前記パット支持体と結合したパットを柔軟と弾性のあるものにし、またネジにより箱蝶にパットを脱着く自在の交換のできるパットを可能にした、前記パット支持体１と硬質プラスチックパット３の結合部分の基盤補強材７を硬化補強することで、結合を強固にした、また前記結合部を接着剤による結合も可能。
【００１３】
請求項２のものは、パットの中央に弾性ある柱を1本設けることでパットに角度変化の弾性がえられ、結合台３６によりプラスチックメガネ枠に接着されて設けることにより、角度の変化対応の弾性あるパットとすることができる。
【００１４】
請求項３のものは、図４において説明すると、補強材１２は圧力でつぶして結合する、足部との結合部分に設けたもので、結合を強固にし、補強材９を柔軟にすることでパット１１を柔軟な動きのあるものにした。図５のものはパット支持体１５に補強材１７を埋没することにより、足１９との結合部分に起きやすい摩擦による亀裂を防ぐことで、パット支持体を丈夫にした。補強材１４・１８は補強硬化にすることで、結合部分の結合を強固なものにしゴム製のパット支持体の用途を広くした。
【００１５】
請求項４のものは、プラスチックメガネ枠のパットのもので、図９のパットで説明すると、パットと弾性層とプラスチックメガネ枠の連結が可能になりパット３０にゴム製の柔軟せいと弾性あるパットになった、また弾性層３１を曲げることで金属材を曲げる事になり、パット３０の角度を変え固定でき、パットを鼻面に合うように調節することが可能になった、図９のものは、結合部２９部分に凹凸結合形の丁番型のネジにより、パット２６の交換もできるように設けた。
【発明を実施するための最良の形態】
【００１６】
請求項１について説明すると、図３のパット支持体１をシリコーンゴムで設け、前記ネジ穴周辺に補強材６である綿糸３０番前後１・２本、図３のように埋没して設け、また、プラスチックパット３、と結合部分である基盤補強材７に紙など植物繊維埋没して補強硬化しまたは接着剤で硬化し、硬質プラスチックパットとの結合部分の結合を強固なものにした、シリコーンゴムパットとの結合は、シリコーンゴムどうしの結合は結合性が良い、
【００１７】
請求項２のものは、図１０において説明すると、請求項１記載のパットのネジ穴２周辺部分に、代わりに、接着結合台３６を設け、接着結合台３６の端部部分の平面部分に接着剤・両面接着テープなどを使用し、前記パットをプラスチックメガネ枠のパットの表面に貼り結合して使用することで、プラスチックメガネ枠にシリコーンゴムの柔軟性と弾性を得ることがで、シリコーンゴムを補強するために、接着結合台３６に補強剤４０として紙類の植物繊維を埋没した、またパットの中央に弾性あるゴム製の柱を１本設け、前記の柱に平面を持った結合台を結合することで、パットに角度の変化と弾性あるものにした。
【００１８】
請求項３のものは、図４において説明すると、補強材１２紙を埋没した部分と足部との結合部分を圧力でつぶして、結合しやすく設けたもので、結合を強固にした、また補強材９綿糸を埋没し柔軟にすることで、パット１１を柔軟な動きのあるものにした。図５のものはパット支持体１５に、補強材１７綿糸を埋没することにより、パット支持体を丈夫にし、足１９との結合部分に起きやすい、摩擦による亀裂を少なくできる。補強材１４・１８は補強硬化にすることで、結合部分の結合を強固なものにした、補強材には綿・紙などの植物繊維また羊毛などの動物繊維・プラスチック繊維など埋没または混合する。
【００１９】
請求項４のものは、プラスチックメガネ枠の接着パットの部分に設けたもので、図９のパットで説明すると、プラスチックメガネ枠３３とパット３０との間に、弾性層３１をシリコーンゴム層で設け、前記のものを連結しやすくするために、硬質プラスチック媒介材３５を、弾性層３１の端部分に設け、前記両方の材質と結合しやすい補強媒介材２４に、綿糸３０番前後を１本以上、補強媒介材２４を弾性層３１と媒介材３５に埋没して連結を強固にし、硬質プラスチック媒介材３５をプラスチックメガネ枠３３に接着結合して設けることで、弾性あるパットがプラスチックメガネ枠に設けられた、また金属材３４は、ペンチなどで曲げるような太さに、弾性層に埋没して設けることで、弾性層２７の上から金属材を曲げ、パット２６の角度を固定でき、角度を調節できるように設けた、また弾性層のパットえの弾性は残す。
【００２０】
図８のものは、パット支持体の結合部２９部分、に凹凸結合形である丁番型のネジにより結合する部分を設け、パット２６とパット支持体２７を結合し、プラスチックメガネ枠２３と媒介材２２、を接着剤により結合連結、前記ネジ２８によりパット２６の交換ができるように設けた、金属材２５は、ペンチなどで曲げるように金属線を１センチ前後の太さに、弾性層の一部分に埋没して設けることで、弾性層であるゴムあるいはシリコーンゴム層２７を曲げ固定でき、パット２６の角度を調節できるように設けた、また弾性層の弾性は残し、弾性あるパットにした。以下いくつか実地例について説明する。
【実施例１】
【００２１】
請求項１について説明すると、図３のパット支持体１をシリコーンゴムで設け、前記ネジ穴周辺に補強材６である綿糸３０番前後を図３のように埋没して設け、前記パット支持体と、プラスチックパット３との結合部分に、基盤補強材７を紙の植物繊維を埋没または接着剤を塗り補強硬化し、結合を強固なものにした、また前記結合部に接着剤の結合も可能、また前記パット支持体とシリコーンゴムパットの結合は、シリコーンゴムパットとシリコーンゴムパット支持体の結合は同じ物質であり結合しやすい。
【実施例２】
【００２２】
請求項２のものは、図１０において説明すると、請求項１記載のパットのネジ穴の部分の、代わりに、接着結合台３６を設け、接着結合台３６の端部部分の平面部分に接着剤・または両面接着テープにより、プラスチックメガネ枠のパットの表面に貼り使用することで、プラスチックメガネ枠に弾性あるパット支持体とパットの結合でき、鼻面に柔軟性と弾性を得ることができ、シリコーンゴム、接着結合台３６に補強剤４０として紙類の植物繊維を埋没することでパット支持体を丈夫にした。
【実施例３】
【００２３】
請求項３のもので、図５のものはパット支持体１５に補強材１７を埋没することにより足１９との結合部分に起きやすい、摩擦による亀裂を防ぐことで、パット支持体を丈夫にした。補強材１４は補強硬化にすることで、硬質プラスチックパット１６との結合部分の結合を強固なものにした。
【実施例４】
【００２４】
請求項３のものは、図４において説明すると、補強材１２紙を埋没した部分と足部との結合部分を圧力でつぶして、結合しやすく設けたもので、結合を強固にした、また補強材９綿糸を埋没し柔軟にすることで、パット１１を柔軟な動きのあるものにした。図５のものはパット支持体１５に、補強材１７綿糸を埋没することにより、パット支持体を丈夫にし、足１９との結合部分に起きやすい、摩擦による亀裂を少なくできる。補強材１４・１８は補強硬化にすることで、結合部分の結合を強固なものにした、補強材には綿・紙などの植物繊維また羊毛などの動物繊維・プラスチック繊維など埋没または混合する。
【実施例５】
【００２５】
請求項４のものは、プラスチックメガネ枠の接着パットの部分においてのもので、図９のもので説明すると、プラスチックメガネ枠３３とパット３０との間に、弾性層３１をシリコーンゴムで設け、前記のものを連結しやすくするために、キシレン系硬質プラスチック媒介材３５を弾性層３１の片端部に設け、両方に結合性の良い補強媒介材３２綿糸３０番前後１本以上を、弾性層部３１と媒介材３５に埋没して設けることで連結を強固にし、媒介材３５をプラスチックメガネ枠３３に接着剤により結合して、パット３０に結合した１ミリ前後の太さの金属材３４を補強材である紙繊維で巻いて、弾性層部３１の一部分に埋没することで、パットと弾性層３１とプラスチックメガネ枠３３が連結する、また弾性層と一体化した弾性パットも可能で、前記のものに金属材の埋没のもある弾性層の弾性は設ける
【実施例６】
【００２６】
図８のものは、図９のもの変形で、弾性層２７パット支持体の結合部２９部分に凹凸形の丁番型のネジによる結合部を設け、ネジによりパット２６の交換ができるように設けた、またプラスチックメガネ枠２３と媒介材２２、を接着剤により結合し連結、また、シリコーンゴム層２７の一部分に埋没して設けた金属材２５は、弾性層２７内の金属材２５を１センチ前後の太さに設けることで、ペンチなどで曲げやすくし、前記のことにより、金属材を曲げて鼻面に合わせてパットの角度固定できる、またパットに対する弾性層部の弾性は設ける、なお金属材２５は補強材を巻き弾性層部２７に埋没する。
【図面の簡単な説明】
【００２７】
【図１】箱蝶用パット周辺の部分拡大側面断面図
【図２】箱蝶用パット支持体の拡大側面図
【図３】箱蝶用パットの部分断面拡大図
【図４】加圧結合ゴム製パット支持体の部分拡大断面図
【図５】はめ込み用パット拡大部分側面断面図
【図６】パット裏正面図
【図７】パット正面図
【図８】ａプラスチックメガネ枠貼り蝶パットの左側面図  ｂプラスチックメガネ枠貼り蝶パットの裏側正面図
【図９】ａプラスチックメガネ枠貼り蝶パットの左側面図  ｂプラスチックメガネ枠貼り蝶パットの正面図
【図１０】ａ    請求項１記載、パットのシール型接着結合パットの拡大側面図  ｂ  請求項１記載、パットのシール型接着結合パットの正面図
【符号の説明】
【００２８】
１  パット支持体
２  ネジ穴
３  パット
４  箱蝶
５  足
６  補強材
７  基盤補強材
８  箱蝶用パットの動く角度の想像図
９  補強材
１０  弾性体
１１  パット
１２  パット支持体
１３  補強材
１４  補強材
１５  パット支持体
１６  パット
１７  補強材
１８  補強材
１９  差込用足
２０  パット  
２１  補強材
２２  媒介材
２３  プラスチックメガネ枠
２４  補強媒介材
２５  金属材
２６  パット
２７  弾性層
２８  ネジ
２９  結合部
３０  パット
３１  弾性層
３２  補強媒介材
３３  プラスチックメガネ枠
３４  金属材
３５  媒介材
３６  接着結合台
３７  パット支持体
３８  パット弾性想像図
３９  パット
４０  補強材
【図１】
2010048912.tif 000003
【図２】
2010048912.tif 000004
【図３】
2010048912.tif 000005
【図４】
2010048912.tif 000006
【図５】
2010048912.tif 000007
【図６】
2010048912.tif 000008
【図７】
2010048912.tif 000009
【図８】
2010048912.tif 000010
【図９】
2010048912.tif 000011
【図１０】
2010048912.tif 000012